(57)【要約】【課題】布地の折り返しを容易かつ適切に行なうことが可能な布地の折り返し方法を提供する。【解決手段】布地を濡らすための液体を貯蔵する貯蔵部を備えたマーカーペン１を用いて、布地４０にマーキングを施すことにより、布地４０を上記液体で濡らす第１のステップと、布地４０を上記液体で濡れた位置において折り返す第２のステップと、を有している。【選択図】　図３
2004068220.tif 000002
【特許請求の範囲】
【請求項１】
布地を濡らすための液体を貯蔵する貯蔵部を備えたマーカーペンを用いて、上記布地にマーキングを施すことにより、上記布地を上記液体で濡らす第１のステップと、
上記布地を上記液体で濡れた位置において折り返す第２のステップと、
を有していることを特徴とする、布地の折り返し方法。
【請求項２】
上記液体としては、水または水と浸透剤との混合液を用いる、請求項１に記載の布地の折り返し方法。
【請求項３】
上記マーカーペンとしては、フェルトからなるペン先部を有し、かつこのペン先部に上記貯蔵部から上記液体が導かれて含浸されるように構成されたものを用いる、請求項１または２に記載の布地の折り返し方法。
【請求項４】
布地にマーキングを施すのに用いられるマーカーペンであって、
水または水と浸透剤との混合液を貯蔵する貯蔵部と、
この貯蔵部から上記水または上記混合液が導かれるように構成されたペン先部と、
を有していることを特徴とする、マーカーペン。
【請求項５】
布地にマーキングを施すのに用いられるマーカーペンセットであって、
水と浸透剤との混合液を貯蔵可能な貯蔵部、およびペン先部を有し、かつこのペン先部に上記貯蔵部から上記混合液が導かれるように構成されたマーカーペンと、
上記貯蔵部に注入するための上記混合液または浸透剤を収容している容器と、
を備えていることを特徴とする、マーカーペンセット。
【請求項６】
上記浸透剤は、界面活性剤を含むものである、請求項５に記載のマーカーペンセット。
【発明の詳細な説明】
【０００１】
【発明の属する技術分野】
本願発明は、裁縫や布地を用いた手芸などを行なう場合において、布地を所望の箇所で適切に折り返すための布地の折り返し方法、その方法に用いられるマーカーペン、およびそのセットに関する。
【０００２】
【従来の技術】
裁縫を行なう場合、布地を所望の箇所で折り返す場合が多い。この場合、一般的には、ヘラを用いて布地に折り返しのための目印を付けておき、この目印の部分において布地を折り返している。布地に目印を付ける方法としては、たとえば上記ヘラに代えて、チャコを用いる方法もあるが、チャコを用いた場合には布地が汚れる虞れがある。これに対し、ヘラを用いる方法によれば、そのような虞れがない。
【０００３】
【発明が解決しようとする課題】
しかしながら、上記従来のヘラを用いる方法においては、次のような不具合があった。
【０００４】
第１に、布地には腰があるために、布地をヘラによる目印の部分において折り返そうとしても、うまく折り返すことができない場合があった。とくに、布地が厚手の場合や、布地を織組織のバイアス方向に折り返す場合には、布地の腰がより強くなるために、目印に沿って布地を適切に折り返すことが一層困難となっていた。また、布地を長い寸法にわたって折り返す場合にも、歪みの少ない綺麗な直線状の折り目がつくように布地を折り返すことは難しいものとなっていた。
【０００５】
第２に、布地のうち、ヘラが押しつけられた部分は、ダメージを受ける。このため、布地のダメージを少なくする観点からすると、上記従来の方法は好ましいものではない。また、布地の種類によっては、ヘラによってマーキングされた部分が変質するなどして光沢をもち、これが不体裁に見えてしまう場合もあった。
【０００６】
第３に、ヘラによって布地に目印を付すには、ヘラを布地に強い力で押しつける必要があり、その作業は楽ではなかった。布地の種類によってはヘラの押しつけ跡が付き難いものもあり、このような場合にはヘラをより強い力で布地に押しつける必要が生じたり、あるいは目印が非常に見えにくくなるといった不具合もある。
【０００７】
本願発明は、このような事情のもとで考え出されたものであって、布地の折り返しを容易かつ適切に行なうことが可能な布地の折り返し方法、この折り返し方法に用いるのに好適なマーカーペンおよびマーカーペンセットを提供することをその課題としている。
【０００８】
【発明の開示】
上記の課題を解決するため、本願発明では、次の技術的手段を講じている。
【０００９】
本願発明の第１の側面によって提供される布地の折り返し方法は、布地を濡らすための液体を貯蔵する貯蔵部を備えたマーカーペンを用いて、上記布地にマーキングを施すことにより、上記布地を上記液体で濡らす第１のステップと、上記布地を上記液体で濡れた位置において折り返す第２のステップと、を有していることを特徴としている。
【００１０】
本願発明は、布地を濡らすようにマーキングを施し、このことにより布地のそのマーキングされた部分の腰を弱くして布地を折り曲げやすくしようとする、新規な技術思想を有している。本願発明によれば、布地のマーキングが施された部分が濡れて腰が弱くなった部分で布地を折り返すために、ヘラを用いてマーキングを施していた従来技術と比較すると、布地をマーキング部分に沿って正確に、かつ容易に折り返すことができる。上記マーキングに用いられる液体としては、後述するように、水などを用いればよいために、布地を傷めたり、汚したりする虞れも無くすことができる。上記マーキング部分については、その後自然乾燥するなどしてマーキングがなされていなかった元の状態と同様な状態に復帰させることができる。したがって、ヘラを用いていた従来技術とは異なり、布地に疵が残るようなこともなく、布地を折り返した後の体裁も良くすることができる。さらに、マーキングを行なう手段として上記マーカーペンを用いているために、作業者が強い力でマーカーペンを布地に押しつけるような必要はなく、作業が楽になり、またマーキングに要する時間も短縮される。本願発明においては、布地が厚手の場合、布地をその織組織のバイアス方向に折り返す場合、あるいは布地を長い寸法にわたって折り返すような場合であっても、布地の折り返しを適切に行なうことができ、これらの場合にはとくに有益である。
【００１１】
本願発明の好ましい実施の形態においては、布地を折り返した後に、この折り返した部分にアイロンをあてるステップをさらに有する構成とされる。このような構成によれば、液体で濡れた箇所にアイロンをあてると、スチームアイロンをかけたのと同様な作用が得られることとなり、布地に折り目を的確に付すのにより好適となる。
【００１２】
本願発明の好ましい実施の形態においては、上記液体としては、水または水と浸透剤との混合液を用いる。このような構成によれば、上記液体のコストを廉価にすることができる。とくに水を用いた場合にはその利点が大きい。一方、上記混合液は布地への浸透性が高いために、たとえば撥水性を有する布地にマーキングを施す場合にはより好適となる。
【００１３】
本願発明の好ましい実施の形態においては、上記マーカーペンとしては、フェルトからなるペン先部を有し、かつこのペン先部に上記貯蔵部から上記液体が導かれて含浸されるように構成されたものを用いる。このような構成によれば、上記マーカーペンが、フェルトペンと同様な構造を有するものであるため、その使い勝手をより良好にすることができる。太さが一定の直線状のマークを付し、その部分の布地の濡れ具合を均一にするといった作業が容易化される。
【００１４】
本願発明の第２の側面によって提供されるマーカーペンは、布地にマーキングを施すのに用いられるマーカーペンであって、水または水と浸透剤との混合液を貯蔵する貯蔵部と、この貯蔵部から上記水または上記混合液が導かれるように構成されたペン先部と、を有していることを特徴としている。
【００１５】
本願発明の第３の側面によって提供されるマーカーペンセットは、布地にマーキングを施すのに用いられるマーカーペンセットであって、水と浸透剤との混合液を貯蔵可能な貯蔵部、およびペン先部を有し、かつこのペン先部に上記貯蔵部から上記混合液が導かれるように構成されたマーカーペンと、上記貯蔵部に注入するための上記混合液または浸透剤を収容している容器と、を備えていることを特徴としている。上記浸透剤としては、界面活性剤を含むものを用いることができる。
【００１６】
本願発明に係るマーカーペンおよびマーカーペンセットは、水または水と浸透剤との混合液を利用して布地の折り返し対象となる部分にマーキングを施す用途に適切に用いることができ、本願発明の第１の側面によって提供される布地の折り返し方法を実施するのに役立つ。マーカーペンとしては、ペン先部をフェルトによって構成されたものとすれば、その使い勝手がより良好となるが、本願発明はこれに限定されるものではなく。ペン先部をフェルト以外の材質にすることができる。
【００１７】
本願発明のその他の特徴および利点については、以下に行う発明の実施の形態の説明から、より明らかになるであろう。
【００１８】
【発明の実施の形態】
以下、本願発明の好ましい実施の形態について、図面を参照しつつ具体的に説明する。
【００１９】
図１は、本願発明に係るマーカーペンセットの一例を示している。本実施形態のマーカーペンセットＡは、マーカーペン１と、このマーカーペン１で用いる水と浸透剤との混合液２を収容した容器３とを備えて構成されている。
【００２０】
混合液２に含まれる浸透剤としては、繊維に各種の処理を施す際に用いられる浸透剤と同様なものを用いることが可能である。上記浸透剤としては、界面活性剤そのもの、あるいは界面活性剤をその一部の成分とするものを用いることができ、たとえばジアルキルスルホサクシネートを用いることができる。これ以外としても、アミノ変性シリコーン誘導体を含むシリコーン系のものや、有機ヨウ素系あるいはフッ素系の浸透剤などを用いることができ、もちろんこれらのうち二種類以上を混合したものを用いることもできる。容器３は、混合液２を適切に収容できるものであり、本願発明においては、その形状、サイズ、材質は問わない。ただし、容器３は、混合液２をマーカーペン１の後述する貯蔵部１１ａに注入する作業が容易に行なうことができるように構成されていることが好ましい。
【００２１】
マーカーペン１は、その基本的な構造が一般のフェルトペンと共通しているものであり、たとえば図２に示すように、本体ハウジング１０、液体貯蔵用ハウジング１１、およびペン先部１２ａを構成するフェルト１２を具備している。本体ハウジング１０の後部と液体貯蔵用ハウジング１１の前部とはそれらの部分に形成されたネジ部１０ａ，１１ａを介して互いに螺合連結されており、これらは一体となって柄を構成するようになっている。液体貯蔵用ハウジング１１の内部は、混合液２の貯蔵部１１ａとなっており、この液体貯蔵用ハウジング１１を本体ハウジング１０から外した状態においてこの液体貯蔵用ハウジング１１の先端開口部から貯蔵部１１ａに混合液２を注入できるようになっている。液体貯蔵用ハウジング１１内の混合液２は、本体ハウジング１０内に設けられた仕切り部材１３の通孔１３ａを通過してフェルト１２に含浸されるように構成されている。フェルト１２は、適当なホルダを利用して本体ハウジング１０内に支持されており、かつその一部分は外部に露出したペン先部１２ａとなっている。本体ハウジング１０内にはスポンジなどの吸水性部材１４が配されており、フェルト１２への混合液２の含浸を促進し、かつその含浸量が安定するようになっている。
【００２２】
液体貯蔵用ハウジング１１は、透明である。このことにより、液体貯蔵用ハウジング１１内に混合液２の残量を外部から目視によって確認することが可能となり、便利となる。また、液体貯蔵用ハウジング１１は、適当な力Ｆで押圧すると、同図の仮想線で示すように、少なくともその一部分を偏平状に変形させることが可能に柔軟性を有する材質からなる。液体貯蔵用ハウジング１１をこのように変形させれば、貯蔵部１１ａ内の混合液２をフェルト１２に向けて強制的に送り出し、ペン先部１２ａにおける混合液２の含浸量を多くすることができる。ペン先部１２ａから混合液２を滴下させることも可能である。ペン先部１２ａは、太いラインと細いラインとのいずれのマーキングをも可能となるように、たとえばテーパ面が形成された角柱状に形成されている。図１に示すように、マーカーペン１は、ペン先部１２ａを密閉して覆うキャップ１５も具備している。
【００２３】
次に、上記構成のマーカーペンセットＡを用いた布地の折り返し方法の一例について説明する。
【００２４】
ズボンの裾上げを行なう場合を一例に挙げると、図３（ａ）に示すように、まずマーカーペン１を用いることにより、ズボン４の折り返し対象となる部分にマークＭを付す。このマーキングは、たとえば定規５を利用してマーカーペン１によって直線を引くだけでよいから、簡単に行なうことができる。ズボン４の布地４０のうち、マークＭが付された部分は、混合液２によって濡れる。
【００２５】
その後は、同図（ｂ）に示すように、マークＭの部分においてズボン４の裾を折り返し、その部分を指で押さえるなどして折り目を付ける。マークＭが付された部分は濡れていることによってその部分の腰が弱くなっているために、ズボン４の裾をこのマークＭに沿って容易かつ綺麗に折り返すことが可能である。混合液２は、浸透剤を含むものであるから、ズボン４の布地４０がたとえば撥水性を有する化学繊維製などの場合であっても、この布地４０に混合液２を適切に浸透させることができ、マーキングされた部分を充分に濡らしてその腰を弱くすることが確実化される。また、布地４０の折り返し部分にアイロンをあてて加熱すると、混合液２がスチームとなり、スチームアイロンをあてたのと同様な作用が得られる。したがって、折り目を一層綺麗に付けることが可能となる。
【００２６】
マーカーペン１が使用されることにより、その貯蔵部１１ａ内の混合液２の残量が少なくなった場合には、容器３内の混合液２を貯蔵部１１ａ内に注入して補充する。このことにより、マーカーペン１の繰り返し使用が可能であり、経済的である。マーカーペン１は、既述したとおり、太いラインと細いラインとのいずれのマーキングをも選択可能であるから、たとえば次のような使用を行なうことができる。すなわち、布地が厚手の場合には太いラインを引く。このようにすれば、布地の折り返し対象部分に充分な量の混合液２を浸透させることができる。
また、単に太いラインを引くだけでは布地の濡れが充分でない場合には、液体貯蔵用ハウジング１１を押圧することにより混合液２を積極的にペン先部１２ａに導く。このことにより、布地の折り返し対象部分を充分に濡らすこともできる。
上記とは反対に、布地が薄手の場合には細いラインを引く。このことにより、混合液２を節約しつつ、布地の折り返し対象部分を適度に濡らすことが可能である。
【００２７】
本願発明は、上記実施形態の内容に限定されない。本願発明に係る布地の折り返し方法の各作業工程（ステップ）の具体的な構成は、種々に変更自在である。
本願発明に係るマーカーペンおよびマーカーペンセットの各部の具体的な構成も、種々に設計変更自在である。
【００２８】
本願発明に係るマーカーペンセットにおいては、たとえば容器内に、水と浸透剤との混合液を収容するのに代えて、浸透剤を収容した構成とすることもできる。水としては、水道水を用いればよいために、ユーザがマーカーペンを使用する場合には、ユーザが水道水に上記容器内の浸透剤を加えて混合液をつくり、これをマーカーペンの貯蔵部に注入するようにしてもかまわない。
【００２９】
マーカーペンセットを構成するマーカーペンおよび容器のそれぞれの個数も限定されない。マーカーペンとしては、たとえばペン先部の太さが異なる複数種類のものが具備されていてもかまわない。また、容器としては、たとえばマーカーペンの貯蔵部と略同等の容積の混合液を収容するものが複数具備された構成とし、貯蔵部内の混合液を使い切ったときには、１つの容器の混合液の全量を上記貯蔵部内に注入し、その容器を空容器として処分できるようにしてもかまわない。
本願発明に係るマーカーペンセットは、マーカーペンおよび容器を具備していればよく、これ以外の物品が付加されていてもよいことは言うまでもない。
【００３０】
本願発明に係るマーカーペンは、既述したとおり、ペン先部をフェルトにより構成すれば、その使い勝手が良くなるため好ましいものの、これに限らず、たとえば毛筆や絵筆と同様に複数の毛からなるペン先部として構成することもできる。なお、本願発明でいうフェルトとは、羊毛繊維を縮充させた狭義のフェルトに限らず、たとえば紡毛織物を縮充・起毛させてフェルト状にした織フェルトをも含んでいる。フェルト状に形成された繊維集合体は、その具体的な材質を問わず、本願発明でいうフェルトに相当する。
【００３１】
本願発明に係る布地の折り返し方法においては、布地を濡らすための液体として、たとえば水を用いることもできる。綿などの親水性を有する布地を対象とする場合には、浸透剤が混合されていない水を用いても布地を適切に濡らすことが可能である。布地を濡らすための液体としては、水や水と浸透剤との混合液以外の液体を用いることもできる。
【００３２】
本願発明に係る布地の折り返し方法は、上述したズボンの裾上げなどの衣類の補修や作製分野に限らず、小片状の布地を折り返して所望形状のキルティング布を作製したり、あるいは帯状の布地をその短手方向に折り返すことによって元の布地の幅よりもさらに細くされたテープを作製するといった手芸分野、あるいはその他の手工業分野など、布地を折り返す作業であれば、その具体的な分野を問うことなく適用することが可能である。
【図面の簡単な説明】
【図１】本願発明に係るマーカーペンセットの一例を示す斜視図である。
【図２】本願発明に係るマーカーペンの一例を示す断面図である。
【図３】（ａ），（ｂ）は、本願発明に係る布地の折り返し方法の一例を示す斜視図である。
【符号の説明】
Ａ　マーカーペンセット
Ｍ　マーク
１　マーカーペン
２　混合液
３　容器
４　ズボン
１１ａ　貯蔵部
１２　フェルト
１２ａ　ペン先部
４０　布地
【図１】
2004068220.tif 000003
【図２】
2004068220.tif 000004
【図３】
2004068220.tif 000005